(57)【特許請求の範囲】
【請求項１】
頭部支持具(７）と、視野計の操作及び検査管理を行うための操作パネル（４）と、機器脚部（５）とから構成され、前記機器脚部（５）には光学装置（１２）が設けられ、該光学装置（１２）は、患者の頭部が前方に位置決めされる接眼レンズ（１０）を備える光学検査システムを含む視野検査用の視野計であって、
前記光学装置（１２）が、前記機器脚部（５）上に可動に取り付けられ、そして少なくとも一つの駆動装置（１８、１９、２１）によって位置調節可能であり、
前記光学装置（１２）が支柱（９）の周囲で回動可能であり、前記支柱（９）が垂直方向に調整可能であり、また前記光学装置（１２）が観察軸（１７）の方向に移動可能であり、
前記頭部支持具（７）の額支持部（６）には頭の位置を測定するためのセンサー（８）が設けられ、
前記頭部支持具（７）が前記機器脚部（５）に回転可能に取り付けられ、
患者の位置である前記光学装置（１２）及び前記頭部支持具（７）の位置が、操作者の位置である操作パネル（４）に対して任意の位置に選択できることを特徴とする視野検査用の視野計。
【請求項２】
前記光学装置（１２）の位置が、検査する目に対して正確に位置決めするために、追跡可能であることを特徴とする請求項１に記載の視野計。
【請求項３】
前記光学装置（１２）が、垂直に動く装置によって、垂直方向に調節可能であることを特徴とする請求項１に記載の視野計。
【請求項４】
前記光学装置（１２）が、垂直方向に調節可能な支柱（９）に可動に取り付けられることを特徴とする請求項１〜３のいずれか一項に記載の視野計。
【発明の詳細な説明】
【０００１】
【発明が属する技術分野】
本発明は、患者の頭を配置する頭部支持具と、操作パネルと、機器脚部を具備した視野検査用の視野計に関するものであり、機器脚部上に接眼レンズを具備した光学装置を取り付け、その前方に患者の頭が配置される。
【０００２】
【従来の技術】
視野検査用の自動視野計は既知のものであり、研究や実際の機械的手順の検査にも利用されている。そのような視野計は、他に登録商標OCTOPUSのものがよく知られている。その様な視野計によって、視野の異なる場所で、網膜による光差の知覚が、コンピュータ制御により算出される。その様な検査では、本質的に、患者がその頭を予定の位置に保持する。それは左右の目に対し、観察軸に関して対称的な位置である。その際に患者は視野計の前に座って、本質的に顎及び額支持部から成る頭部支持具は、頭または検査する目が、接眼レンズの前方に配置される。患者の体面に、操作者が座り、視野計に取り付けた制御パネルによって視野計を作動させる。
【０００３】
米国特許第5,125,731号に、従来技術による視野計が記載されており、そこでは額及び顎支持部は、患者の頭または検査する目を配置するため、検査の間に位置を調節することができる。しかしその様に正確に配置する場合、集中している患者を邪魔し、それによって必然的に悪い影響が、検査の長さ及び検査結果の正確性に及んでいる。視野計は一般的に検査室において、大規模で且つ、それ自体の配置が、しばしば難しいという特徴を有しており、検査の際に、患者にとっても、操作者にとっても、適切な位置に着席することが必要であることを、考慮しなければならない。
【０００４】
【発明が解決しようとする課題】
本発明の目的は、従来の欠点を除いた視野検査用の視野計を創造して、患者の適切な配置と、容易な操作によって、高度な検査結果を得ることである。
【０００５】
【課題を解決するための手段】
本発明は、上記の視野計を、機器脚部上に光学装置を可動に取り付け、駆動装置によって垂直及び水平方向に位置調節可能にすることによって達成できる。
【０００６】
【本発明の実施の形態】
本発明による視野計において、光学装置が機器脚部上に可動に取り付けられ、操作パネルにより位置が調節される。それによって、患者と操作者との間の位置を自由に選択することが可能である。操作者及び患者は、絶対ではないが互いに向かい合って座るかまたは、別の決められた角度で座り、その位置は、特にそれ自体の空間の割合にとって有利に、そして自由に選択することができる。本発明による視野計の別の利点は、接眼レンズの前方に、検査する目を配置させるため、光学装置を全方向に追跡可能であることである。その際、頭部支持具は位置調節する必要がなく、患者がその様に正確な配置をする際に、患者の集中を邪魔しない。
【０００７】
更なる有利な特徴は、従属する請求項、以下の記載、及び図面から明らかであろう。
【０００８】
【実施例】
本発明による実施例を以下の添付図面を参照して、詳しく説明する。
【０００９】
図１に関して、視野計は、例えばテーブル上に位置した機器脚部５を示している。機器脚部５に、頭部支持具が回転可能に取り付けられ、且つ操作パネル４が固定されている。操作パネル４で、操作者が視野計を捜査でき、それによって検査を実行できる。このため、操作パネル４が表示機４ａと、ここでは図示しないが、キーと別の操作手段を備えている。
【００１０】
頭部支持具７は、顎支持部３と二つの支柱６を備え、その支柱に額支持部６が固定されている。額支持部６には、センサー８が装着されており、それによって頭の位置を自動的に固定配置する。顎支持部３はスピンドル１１により高さを調節することが可能で、その一方で、機器脚部５の周囲を回転できる。患者が頭を頭部支持具７に配置し、接眼レンズ１０と観察軸に関して、左目または右目を配置する。
【００１１】
機器脚部５には、垂直方向に調整可能で且つ、その上に光学装置１２が取り付けられた支柱９が備えらており、光学装置は支柱９の周囲を回動し、且つ観察軸の方向に動くことができる。光学装置１２には、従来型で、ここでは説明しないが、接眼レンズ１０を具備した検査光学機器が収納されている。
【００１２】
図２及び図３は、二方向矢印１４によって、支柱とそれによる光学装置１２のの垂直方向位置調節を示している。二方向矢印１６は、支柱９における光学装置１２の回動を示しており、また二方向矢印１７によって、観察軸方向における光学装置１２の動きを示している。支柱９の高さ調節をするため、機器脚部５に駆動装置１８を備えている。駆動装置１９によって歯車装置２０を介し、光学装置１２を二方向矢印１６の方向に回動させる。光学装置１２は、例えば機械スピンドル２１によって、観察軸１７の方向に動かせる。全ての駆動装置は、電気的またはそれ以外の駆動装置であり得る。駆動装置１９及び１９は操作パネル４によって制御可能であり、観察軸の方向１７の動きは本実施例においては手動で行われる。そのように正確な配置を制御されることによって、患者の検査する目をカメラで捕らえ、映像を表示機４ａ上に映す。
【００１３】
上記の記載で、患者の検査する目に関して、光学装置を確実に配置するために行われる動きを説明した。患者と操作者との間の位置が変わると、光学装置１２を、任意の位置にするため軸Ａの周囲を回転させる。従って、頭部支持具７は機器脚部５の周囲を同じ角度で回転するので、患者を接眼レンズの前に配置することができる。操作パネル４は、どの動きの場合にも、機器脚部５に固定して結合されたままである。
【００１４】
図４による配置の場合、操作パネル４、接眼レンズ１０を具備した光学装置１２、及び頭部支持具７は、患者が操作者の左隣に座るように配置さている。図５による配置の場合、従来例どおり、患者が操作者に向かい合うように座る。またここで、光学装置１２の動きによって、確実な配置が全三方向で、いつでも可能である。図６による配置の場合、患者は操作者の右隣に座る。図４〜図５に示された位置以外でも、空間的配置が可能である。
【図面の簡単な説明】
【図１】本発明による視野計の概略的な立体図。
【図２】視野計の部分透視図。
【図３】視野計の別の部分透視図。
【図４】光学装置を別の方向を向かせた本発明による視野計。
【図５】光学装置を別の方向を向かせた本発明による視野計。
【図６】光学装置を別の方向を向かせた本発明による視野計。
【符号の説明】
２    支柱
３    顎支持部
４    操作パネル
５    機器脚部
６    額支持部
７    頭部支持具
８    センサー
９    支柱
１０  接眼レンズ
１２  光学装置
１６  二方向矢印
１７  二方向矢印
１８  駆動装置
１９  駆動装置
２０  歯車装置
２１  スピンドル
【図１】
0005049434.tif 000002
【図２】
0005049434.tif 000003
【図３】
0005049434.tif 000004
【図４】
0005049434.tif 000005
【図５】
0005049434.tif 000006
【図６】
0005049434.tif 000007